(57)【要約】【課題】  光ディスク１２に対して、ＳＩＬ１１と対物レンズ１０を備えたヘッド部の位置のシフトによるチルトエラー信号の変化を低減した状態で、光ディスクに対するヘッド部のチルトの検出をすることを目的とする。【解決手段】  光記録媒体１２とＳＩＬ１１とのギャップ及びチルトを検出するために、ＳＩＬ１１の底面からの戻り光を検出する光検出器において、ＳＩＬ１１が光記録媒体１２をトラッキング方向に駆動する際に、ＳＩＬ底面からの戻り光が、光検出器において移動する方向に沿って第一の領域と第二の領域を有している。この第一の領域と第二の領域は、ＳＩＬがトラッキング方向に駆動しても戻り光の面積が一定である領域である。【選択図】  図５
2008243282.tif 000002
【特許請求の範囲】
【請求項１】
光源と、
前記光源からの光束をエバネッセント光として光記録媒体に到達させるための対物レンズ及びＳｏｌｉｄ  Ｉｍｍｅｒｓｉｏｎ  Ｌｅｎｓ（ＳＩＬ）を有するヘッド部と、
前記光記録媒体と前記ＳＩＬとのギャップ及びチルトを検出するために、前記ＳＩＬの底面からの戻り光を検出する光検出器と、
前記光検出器における得られた光量に基づいて前記チルトを制御するためのチルト制御回路とを有する光情報記録再生装置において、
前記光検出器は、前記ＳＩＬが前記光記録媒体をトラッキング方向に駆動する際に、前記戻り光が前記光検出器において移動する方向に沿って、第一の領域と第二の領域を有しており、
前記ＳＩＬが前記トラッキング方向に駆動しても前記第一の領域と前記第二の領域における前記戻り光の面積が一定であることを特徴とする光情報記録再生装置。
【請求項２】
前記光検出器は、前記ＳＩＬがトラッキングする際の駆動方向に対応する前記光検出器における前記戻り光の移動方向にニ分割されており、更に、前記移動する方向と直交する方向における前記戻り光の内径よりも内側の範囲で、前記移動方向に平行な分割領域を有していることを特徴とする請求項１に記載の光情報記録再生装置。
【請求項３】
前記光検出器は、前記ＳＩＬが前記光記録媒体をトラッキング方向に駆動する際に、前記戻り光が前記光検出器において移動する方向に沿って、第三の領域と第四の領域を有しており、
前記ＳＩＬが前記トラッキング方向に駆動した場合には、前記第三の領域と前記第四の領域における前記戻り光の面積が変化することを特徴とする請求項１に記載の光情報記録再生装置。
【請求項４】
前記対物レンズ及び前記ＳＩＬの光軸に対する位置を取得するために、前記第三の領域と前記第四の領域は、前記移動する方向における前記戻り光の内径よりも内側の範囲で、光検出器の前記移動する方向に垂直な方向における中心線を挟んだ両側に配されていることを特徴とする請求項３に記載の光情報記録再生装置。
【発明の詳細な説明】
【技術分野】
【０００１】
本発明は、光ディスク装置などの光情報記録再生装置に関し、特に、Ｓｏｌｉｄ  Ｉｍｍｅｒｓｉｏｎ  Ｌｅｎｓ（以下ＳＩＬと省略する）及び対物レンズを含むヘッド部のチルト信号検出に関するものである。
【背景技術】
【０００２】
光ディスクの記録密度を向上させるためには、記録再生に用いる光の波長を短くし、対物レンズの開口数（ＮＡ）を大きくして、光ディスク記録面上の光スポット径を小さくすることが求められる。従来から対物レンズの先玉を記録面上に記録波長の数分の１（例えば、１／２）以下に近接させて、いわゆるＳＩＬを構成し、ＮＡを空気中においても１以上とする試みがなされて来た。例えば、それらは、Ｊａｐａｎ  Ｊｏｕｒｎａｌ  Ａｐｐｌｉｅｄ  Ｐｈｙｓｉｃｓ  誌  ４４巻（２００５）  Ｐ．３５６４−３５６７  に記載の“Ｎｅａｒ  Ｆｉｅｌｄ  Ｒｅｃｏｒｄｉｎｇ  ｏｎ  Ｆｉｒｓｔ−Ｓｕｒｆａｃｅ  Ｗｒｉｔｅ−Ｏｎｃｅ  Ｍｅｄｉａ  ｗｉｔｈ  ａ  ＮＡ＝１．９  Ｓｏｌｉｄ  Ｉｍｍｅｒｓｉｏｎ  Ｌｅｎｓ”（非特許文献１）に記載されている。または、Ｏｐｔｉｃａｌ  Ｄａｔａ  Ｓｔｏｒａｇｅ  ２００４，Ｐｒｏｃｅｅｄｉｎｇｓ  ｏｆ  ＳＰＩＥ  ５３８０巻（２００４）“Ｎｅａｒ  Ｆｉｅｌｄ  ｒｅａｄ−ｏｕｔ  ｏｆ  ｆｉｒｓｔ−ｓｕｒｆａｃｅ  ｄｉｓｋ  ｗｉｔｈ  ＮＡ＝１．９  ａｎｄ  ａ  ｐｒｏｐｏｓａｌ  ｆｏｒ  ａ  ｃｏｖｅｒ−ｌａｙｅｒ  ｉｎｃｉｄｅｎｔ，ｄｕａｌ−ｌａｙｅｒ  ｎｅａｒ  ｆｉｅｌｄ  ｓｙｓｔｅｍ”（非特許文献２）にも記載されている。
【０００３】
図８を用いて、従来例の非特許文献１（Ｊａｐａｎ  Ｊｏｕｒｎａｌ  Ａｐｐｌｉｅｄ  Ｐｈｙｓｉｃｓ  誌  ４４巻（２００５）Ｐ．３５６４−３５６７）の近接場記録用の光情報記録再生装置における光ピックアップの構成について説明する。波長４０５ｎｍの半導体レーザ１から出射された光束は、コリメータレンズ２で平行光束とされ、ビーム整形プリズム３に入射して等方的な光量分布とされる。非偏光ビームスプリッタ（ＮＢＳ）４を経て、偏光ビームスプリッタ（ＰＢＳ）７を透過した光束は、１／４波長板（ＱＷＰ）８を通過し、直線偏光から円偏光に変換される。なお、非偏光ビームスプリッタ（ＮＢＳ）４で反射された光束を受光し、半導体レーザ１の出射パワーを制御するための光検出器（ＬＰＣ−ＰＤ）６を設けられている。１／４波長板（ＱＷＰ）８を透過した光束は、エキスパンダレンズ９に入射する。エキスパンダレンズ９は、後述する対物レンズ１０やＳＩＬ１１で発生する球面収差を補正するためのレンズで、球面収差に応じて２枚のレンズ間隔を制御可能なように構成されている。エキスパンダレンズ９からの光束は、ヘッド部５０の対物レンズ１０に入射する。ヘッド部５０は対物レンズ１０とＳＩＬ１１からなり、それらはフォーカス方向、トラッキング方向およびチルト方向に２つのレンズを一体に駆動するアクチュエータ（図示しない）上に実装されている。
【０００４】
ＳＩＬ１１の底面と光ディスク１２の表面との距離が、光源の波長４０５ｎｍの数分の１以下、例えば１００ｎｍ以下の近距離にある場合のみ、ＳＩＬ底面からエバネッセント光として記録面に作用し、実効開口数ＮＡｅｆｆの光スポット径による記録再生が可能である。この距離を保つために後述するギャップサーボが用いられる。
【０００５】
図８に戻って復路の光学系について説明する。光ディスク１２で反射された光束は逆回りの円偏光となり、ＳＩＬ１１および対物レンズ１０に入射して平行光束に再び変換される。エキスパンダレンズ９、１／４波長板（ＱＷＰ）８を通過し、往路とは直交する方向の直線偏光とされた光束は、偏光ビームスプリッタ（ＰＢＳ）７で反射される。１／２波長板（ＨＷＰ）１３で偏光面を４５°回転された光束のうちＳ偏光成分は、偏光ビームスプリッタ（ＰＢＳ）１４で反射され、レンズ１５を経由して光検出器１（ＰＤ１）１６上に集光されて、光ディスク１２上の情報であるＲＦ出力１７が再生される。１／２波長板（ＨＷＰ）１３で偏光面を４５°回転された光束のうちＰ偏光成分は、偏光ビームスプリッタ（ＰＢＳ）１４を透過し、ミラー１８で反射され、レンズ１９を経由して２分割された光検出器２（ＰＤ２）２０上に集光されて、トラッキングエラー２１が出力される。
【０００６】
一方、ＳＩＬ１１の底面で反射された光束のうち、全反射をしないＮＡｅｆｆ＜１の光束については、上記の光ディスク１２からの反射光と同様に、入射と逆回りの円偏光として反射される。全反射を起こすＮＡｅｆｆ≧１の光束については、Ｐ偏光成分とＳ偏光成分の間に次式で示す位相差δを生じ、円偏光からずれて楕円偏光となる。
ｔａｎ（δ／２）＝ｃｏｓθｉ×√（Ｎ２×ｓｉｎ２θｉ−１）／（Ｎ×ｓｉｎ２θｉ）      （１）式
したがって、１／４波長板（ＱＷＰ）８を通過すると往路と同じ方向の偏光成分を含むことになる。この偏光成分は、ＰＢＳ７を透過してＮＢＳ４で反射され、レンズ２６を経由して光検出器３（ＰＤ３）２７上に集光される。この光束の光量は、近接場領域において、ＳＩＬ１１底面と光ディスク１２の距離が近づくに従い単調減少するので、ギャップエラー２８として用いることができる。予め目標の閾値を決めておけば、ギャップサーボ回路により（図示せず）ギャップサーボを行うことにより、ＳＩＬ１１の底面と光ディスク１２の表面との距離を１００ｎｍ以下の所望の距離に保つことができる。
【０００７】
ギャップサーボに関しては、前述の非特許文献１（Ｊａｐａｎ  Ｊｏｕｒｎａｌ  Ａｐｐｌｉｅｄ  Ｐｈｙｓｉｃｓ  誌  ４４巻（２００５）Ｐ．３５６４−３５６７）の論文に詳しい。
【０００８】
また、この光束は、光ディスク１２上の記録情報による変調を受けていないので、記録情報の有無に関わらず、安定したギャップエラー２８を得ることができる。
【０００９】
図６に、領域Ａ，Ｂに２分割された光検出器３（ＰＤ３）２７を示す。前述したように全反射を起こすＮＡｅｆｆ≧１の光束の光量は、近接場領域において、ＳＩＬ底面と光ディスクの距離が近づくに従い単調減少する。このため、ＳＩＬ１１の底面と光ディスク１２の表面との全反射戻り光量の領域Ａ，Ｂでの差信号を検出することでＳＩＬ１１の底面と光ディスク１２の表面の相対的なチルト信号を得ることができる。このチルト信号が図８のチルト制御回路３０に入力され、ヘッド部５０上に実装されたアクチュエータのボイスコイルモータ（図示しない）に出力されることで、ＳＩＬ１１の底面と光ディスク１２の表面が衝突することがないようにチルトサーボが駆動される。前述のチルトサーボに関しては、
Ｏｐｔｉｃａｌ  Ｄａｔａ  Ｓｔｏｒａｇｅ  ２００６，”Ｃｏｖｅｒ−Ｌａｙｅｒ  Ｉｎｃｉｄｅｎｔ  Ｎｅａｒ−Ｆｉｅｌｄ  Ｒｅｃｏｒｄｉｎｇ：Ｔｏｗａｒｄｓ  ４−Ｌａｙｅｒ  Ｄｉｓｃｓ  ｕｓｉｎｇ  Ｄｙｎａｍｉｃ  Ｔｉｌｔ  Ｃｏｎｔｒｏｌ”（非特許文献３）に詳しい。
【００１０】
このように、対物レンズ１０及びＳＩＬ１１は、ヘッド部５０上に実装されたアクチュエータのボイスコイルモータ（図示しない）により調整される。ヘッド部５０はアクチュエータ（図示しない）により、２分割された光検出器３（ＰＤ３）２７の和信号から得られたギャップエラー２８を用いてＳＩＬ１１と光ディスク１２間の距離を所定の値に保つ。また、２分割された光検出器３（ＰＤ３）２７の差信号から得られたチルトエラー３１に基づいて、チルト制御回路３０からの出力によりＳＩＬ１１底面と光ディスク１２の表面の相対的な傾きが一定となるように補正される。
【非特許文献１】Ｊａｐａｎ  Ｊｏｕｒｎａｌ  Ａｐｐｌｉｅｄ  Ｐｈｙｓｉｃｓ  誌  ４４巻（２００５）  Ｐ．３５６４−３５６７  に記載の“Ｎｅａｒ  Ｆｉｅｌｄ  Ｒｅｃｏｒｄｉｎｇ  ｏｎ  Ｆｉｒｓｔ−Ｓｕｒｆａｃｅ  Ｗｒｉｔｅ−Ｏｎｃｅ  Ｍｅｄｉａ  ｗｉｔｈ  ａ  ＮＡ＝１．９  Ｓｏｌｉｄ  Ｉｍｍｅｒｓｉｏｎ  Ｌｅｎｓ”
【非特許文献２】Ｏｐｔｉｃａｌ  Ｄａｔａ  Ｓｔｏｒａｇｅ  ２００４，Ｐｒｏｃｅｅｄｉｎｇｓ  ｏｆ  ＳＰＩＥ  ５３８０巻（２００４）“Ｎｅａｒ  Ｆｉｅｌｄ  ｒｅａｄ−ｏｕｔ  ｏｆ  ｆｉｒｓｔ−ｓｕｒｆａｃｅ  ｄｉｓｋ  ｗｉｔｈ  ＮＡ＝１．９  ａｎｄ  ａ  ｐｒｏｐｏｓａｌ  ｆｏｒ  ａ  ｃｏｖｅｒ−ｌａｙｅｒ  ｉｎｃｉｄｅｎｔ，  ｄｕａｌ−ｌａｙｅｒ  ｎｅａｒ  ｆｉｅｌｄ  ｓｙｓｔｅｍ”
【非特許文献３】Ｏｐｔｉｃａｌ  Ｄａｔａ  Ｓｔｏｒａｇｅ  ２００６，”Ｃｏｖｅｒ−Ｌａｙｅｒ  Ｉｎｃｉｄｅｎｔ  Ｎｅａｒ−Ｆｉｅｌｄ  Ｒｅｃｏｒｄｉｎｇ：Ｔｏｗａｒｄｓ  ４−Ｌａｙｅｒ  Ｄｉｓｃｓ  ｕｓｉｎｇ  Ｄｙｎａｍｉｃ  Ｔｉｌｔ  Ｃｏｎｔｒｏｌ”
【発明の開示】
【発明が解決しようとする課題】
【００１１】
しかし、従来例の近接場記録用の光情報記録再生装置における光ピックアップには、以下のような問題点があった。従来例では、２分割された光検出器３（ＰＤ３）２７により得られたギャップエラー２８を用いてＳＩＬ１１と光ディスク１２間の距離を所定の値に保持し、チルトエラー３１を用いてＳＩＬ１１底面と光ディスク１２の表面との相対的な傾きを補正していた。しかし、図７に示すように２分割された光検出器３（ＰＤ３）２７の分割領域Ａ，Ｂの差信号によりチルトエラー３１を検出する際に、ヘッド部５０が光ディスク１２の持つ偏芯などにより光ディスク１２の半径方向（図７中Ｘ方向）に動くと、光検出器３（ＰＤ３）２７上でビームスポットも同時に動く。このため、光検出器３（ＰＤ３）２７上におけるチルトエラー３１にオフセットが生じてしまい、正確なチルトの検出が困難であった。
【００１２】
前述したように、ＳＩＬ１１の端面と光ディスク１２との表面の間隔は１００ｎｍ以下であり、それらの相対的な傾きについて高精度な制御が要求される。前述のヘッド部５０の動きによる影響など傾き以外の誤差要因が含まれると、チルトサーボの精度が悪化する問題がある。
【課題を解決するための手段】
【００１３】
上記問題を解決するために、以下を提供する。
【００１４】
光源と、前記光源からの光束をエバネッセント光として光記録媒体上に到達させるための対物レンズ及びＳｏｌｉｄ  Ｉｍｍｅｒｓｉｏｎ  Ｌｅｎｓ（ＳＩＬ）を有するヘッド部と、前記光記録媒体と前記ＳＩＬとのギャップ及びチルトを検出するために、前記ＳＩＬの底面からの戻り光を検出する光検出器と、前記光検出器における得られた光量に基づいて前記チルトを制御するためのチルト制御回路とを有する光情報記録再生装置において、
前記光検出器は、前記ＳＩＬが前記光記録媒体をトラッキング方向に駆動する際に、前記戻り光が前記光検出器上において移動する方向に沿って、第一の領域と第二の領域を有しており、前記ＳＩＬが前記トラッキング方向に駆動しても前記第一の領域と前記第二の領域における前記戻り光の面積が一定である光情報記録再生装置。
【発明の効果】
【００１５】
以上説明してきたように、本発明により、光ディスクに対して、ＳＩＬと対物レンズを備えたヘッド部の位置のシフトによるチルトエラー信号の変化を低減した状態で、光ディスクに対するヘッド部のチルトの検出をすることが可能となった。これにより、従来よりも正確で高精度なＳＩＬ端面と光ディスク表面のチルト制御が可能となった。
【発明を実施するための最良の形態】
【００１６】
以下、本発明の実施の形態について図面を参照して詳細に説明する。
【実施例１】
【００１７】
図１、図２、図９を用いて本発明の実施例について説明する。図９は、本発明の光情報記録再生装置と光記録媒体に関するものであり、特に近接場記録用光ピックアップの構成について説明したものである。多分割の光検出器４（ＰＤ４）３２以外は従来例で示された図８と変わらない。
【００１８】
図１に本発明の特徴である、近接場記録用光ピックアップに具備された多分割された光検出器４（ＰＤ４）３２の受光パターンを示す。
【００１９】
波長４０５ｎｍの半導体レーザ１から出射された光束は、コリメータレンズ２で平行光束とされ、ビーム整形プリズム３に入射して等方的な光量分布とされる。更に、非偏光ビームスプリッタ（ＮＢＳ）４を経て、偏光ビームスプリッタ（ＰＢＳ）７を透過した光束は、１／４波長板（ＱＷＰ）８を通過し直線偏光から円偏光に変換される。なお、非偏光ビームスプリッタ（ＮＢＳ）４で反射された光束を受光し、半導体レーザ１の出射パワーを制御するための光検出器（ＬＰＣ−ＰＤ）６を設けられている。１／４波長板（ＱＷＰ）を透過した光束は、エキスパンダレンズ９に入射する。エキスパンダレンズ９は、後述する対物レンズ１０やＳｏｌｉｄ  Ｉｍｍｅｒｓｉｏｎ  Ｌｅｎｓ（ＳＩＬ）１１で発生する球面収差を補正するためのレンズで、球面収差に応じて２枚のレンズ間隔を制御可能なように構成されている。エキスパンダレンズ９からの光束は、ヘッド部５０の対物レンズ１０に入射する。ヘッド部５０は対物レンズ１０とＳＩＬ１１を有し、それらはフォーカス方向、トラッキング方向、チルト方向に２つのレンズを一体に駆動するアクチュエータ（図示しない）上に実装されている。ＮＡ＝０．７の対物レンズ１０にＮＡ＝２の半球レンズのＳＩＬ１１を組み合わせて、ＮＡｅｆｆ＝１．４とした。
【００２０】
ＳＩＬ１１の底面と光ディスク１２との距離が、光源の波長４０５ｎｍの数分の１以下、例えば１００ｎｍ以下の近距離にある場合には、ＳＩＬ１１の底面からのエバネッセント光が光ディスク１２の記録面に到達する。そして、記録面に合焦しているＮＡｅｆｆの光スポット径によって記録再生が可能である。この距離を保つために前述のギャップサーボが用いられている。
【００２１】
光ディスク１２で反射された光束は逆回りの円偏光となり、ＳＩＬ１１および対物レンズ１０に入射して平行光束に再び変換される。エキスパンダレンズ９、１／４波長板（ＱＷＰ）８を通過し、往路とは直交する方向の直線偏光とされた光束は、偏光ビームスプリッタ（ＰＢＳ）７で反射される。１／２波長板（ＨＷＰ）１３で偏光面を４５°回転された光束のうちＳ偏光成分は、偏光ビームスプリッタ（ＰＢＳ）１４で反射され、レンズ１５を経由して光検出器１（ＰＤ１）１６上に集光されて、光ディスク１２上の情報であるＲＦ出力１７が再生される。１／２波長板（ＨＷＰ）１３で偏光面が４５°回転された光束のうちのＰ偏光成分は、偏光ビームスプリッタ（ＰＢＳ）１４を透過し、ミラー１８で反射され、レンズ１９を経由して２分割された光検出器２（ＰＤ２）２０上に集光される。
【００２２】
一方、ＳＩＬ１１の底面で反射された光束のうち、全反射をしないＮＡｅｆｆ＜１の光束については、上記の光ディスク１２からの反射光と同様に、入射時と逆回りの円偏光として反射される。全反射を起こすＮＡｅｆｆ≧１の光束については、Ｐ偏光成分とＳ偏光成分の間に（１）式で示す位相差δを生じ、円偏光からずれて楕円偏光となり、１／４波長板（ＱＷＰ）８を通過すると往路と同じ方向の偏光成分を含むことになる。この偏光成分は、ＰＢＳ７を透過してＮＢＳ４で反射され、レンズ２６を経由して多分割された光検出器４（ＰＤ４）３２上で検出される。
【００２３】
第１の実施例の多分割の光検出器４（ＰＤ４）３２の受光領域について、図１を用いて説明する。レンズ２６を経由した光束が入射する多分割された光検出器４（ＰＤ４）３２は、ＳＩＬ１１のトラッキング駆動方向と平行な方向にニ分割されている。より具体的には、ＳＩＬ１１の底面からの戻り光の内径より内側の狭い範囲（図中Ｌ内）で、光検出器４（ＰＤ４）上でトラッキング駆動方向に対応する戻り光の移動方向に沿ってＯ領域とＰ領域に分割されている。
【００２４】
この多分割された光検出器４（ＰＤ４）３２に入射する光束の光量は、近接場領域において、ＳＩＬ１１の底面と光ディスク１２の表面の距離が近づくに従い単調減少するので、図１に示すように多分割された光検出器４（ＰＤ４）３２の各領域Ｏ、Ｐの和信号をギャップエラー２８として用いることができる。予め目標の閾値を決めておけば、アクチュエータ（図示しない）を駆動してギャップサーボを行うことにより、ＳＩＬ１１の底面と光ディスク１２の距離を１００ｎｍ以下の所望の距離に保つことができる。また、半導体レーザ１の出射パワーを制御するための光検出器（ＬＰＣ−ＰＤ）６の出力を用いて、ギャップエラー２８を正規化することができる。
【００２５】
ここで、ディスクの持つ偏芯等によりヘッド部５０が半径方向に動くと多分割された光検出器４（ＰＤ４）３２上で光スポットが移動する。
【００２６】
第１の実施例の多分割された光検出器４（ＰＤ４）３２であると、図２のようにヘッド部５０が矢印Ｘ方向にシフトした時に分割領域Ｏ、Ｐの受光量は、光スポットのシフトによる影響を受けない領域（楕円の破線部内）である。このため、ＳＩＬ１１の端面と光ディスク１２の表面とのチルトを高精度に得ることができる。すなわち、光検出器４（ＰＤ）３２は、ＳＩＬが光記録媒体をトラッキング方向に駆動する際に、ＳＩＬ１１の底面からの戻り光が光検出器４（ＰＤ４）３２上において移動する方向に沿って、第一の領域と第二の領域を有している。これは、ＳＩＬ１１がトラッキング方向に駆動しても第一の領域（分割領域Ｏ）と第二の領域（分割領域Ｐ）において、ＳＩＬ１１の底面からの戻り光の面積が一定であるように構成されているのである。このため、ＳＩＬ１１と対物レンズ１０を備えたヘッド部の位置のシフトによるチルトエラー信号の変化を低減した状態で、光ディスクに対するヘッド部のチルトの検出をすることが可能となった。
【００２７】
従って、ＳＩＬ１１底面と光ディスク１２の表面とのチルト制御を高精度に行うことが可能である。
【００２８】
なお、本実施例では、ヘッド部５０を構成する対物レンズ１０及びＳＩＬ１１を一体的に駆動する例を記したが、対物レンズ１０、ＳＩＬ１１をそれぞれ独立に駆動し、制御する構成であっても何ら問題ない。以下、実施例２でも同様である。
【実施例２】
【００２９】
図３から図５を用いて本発明の実施例について説明する。図５は、本発明の第２の光情報記録再生装置に関するものであり、特に近接場記録用光ピックアップの構成について説明したものである。
【００３０】
図５において実施例１と同様な構成については、説明を省略する。実施例１と異なる点は、多分割の光検出器５（ＰＤ５）３３及び、光検出器５（ＰＤ５）３３から得られた信号に基づいて、トラッキング制御を行う点である。以下に光検出器５（ＰＤ５）３３について説明する。
【００３１】
図３は、第２の実施例の多分割された光検出器５（ＰＤ５）３３を表したものである。
【００３２】
第２の実施例においては、レンズ２６を経由した光束が入射する多分割された光検出器５（ＰＤ５）３３が、図３に示すようにＳＩＬ１１のトラッキング駆動方向と平行な方向に分割され、戻り光の内径よりも狭い領域（図中Ｌ内）でトラッキング駆動方向と垂直な方向であるＱ、Ｒに分割されている。また、センサーパターンの中心には、ヘッド部５０のトラッキング駆動方向に垂直な方向であるＳ、Ｔに分割されている。
【００３３】
この多分割された光検出器５（ＰＤ５）３３に入射する光束の光量は、近接場領域において、ＳＩＬ１１の底面と光ディスク１２の距離が近づくに従い単調減少する。そのため、図３に示すように多分割された光検出器５（ＰＤ５）３３の各領域Ｑ、Ｒの和信号をギャップエラー２８として用いることができる。予め目標の閾値を決めておけば、アクチュエータを駆動してギャップサーボを行うことにより、ＳＩＬ１１の底面と光ディスク１２の距離を１００ｎｍ以下の所望の距離に保つことができる。また、半導体レーザ１の出射パワーを制御するための光検出器（ＬＰＣ−ＰＤ）６の出力を用いて、ギャップエラー２８を正規化することができる。
【００３４】
図４に示すように、ヘッド部５０が矢印Ｘ方向にシフトした時に分割領域Ｑ，Ｒの受光量は、光スポットのシフトによる影響を受けない領域であるので、ＳＩＬ１１の端面と光ディスク１２の表面とのチルト信号を高精度に得ることができる。従って、従来よりも高精度にチルト制御を行うことが可能となるのである。
【００３５】
また、ディスクの持つ偏芯等によりヘッド部５０が半径方向に動くと２分割された光検出器２（ＰＤ２）２０上で光スポットが移動するため、トラッキングエラー２１にオフセットが発生する。一方、多分割された光検出器５（ＰＤ５）３３において、ヘッド部５０のシフトにより光スポットが矢印Ｘ方向にシフトするとする。このときＰＤ５上の分割領域Ｓ、Ｔの差信号をとる（２）式により、光ヘッド部５０の光軸に対する位置信号検出が可能となるである。
（Ｓ−Ｔ）／（Ｓ＋Ｔ）＝ＬｅｎＰ．ｅｒｒｏｒ      （２）式
すなわち、光検出器５（ＰＤ５）３３は、ＳＩＬ１１が光ディスク１２をトラッキング方向に駆動する際に、ＳＩＬ１１の底面からの戻り光が光検出器５（ＰＤ５）３３において移動する方向に沿って、かつ光検出器５（ＰＤ５）３３の中心線を挟んで両側に第三の領域（Ｓ領域）と第四の領域（Ｔ領域）が配されている。
【００３６】
このＳ領域とＴ領域は、ＳＩＬ１１がトラッキング方向に駆動した場合には、戻り光の面積が変化する領域でもある。これにより、（２）式を用いると光ヘッド部５０の光軸に対する位置信号検出が可能となるである。
【００３７】
そして、トラッキング制御回路２２において、トラッキングエラー２１をヘッド部５０の位置信号で補正を行うと、ヘッド部位置のオフセットのないトラッキングエラー信号を取得することが可能である。
【００３８】
従って、チルト制御と同時に、ヘッド部５０の位置信号を検出することでトラッキングサーボにおいても高精度な制御を行うことが可能となる。また、ヘッド部５０の位置信号を基にアクチュエータ制御し駆動することで、トラックジャンプにおいてアクチュエータが中立位置から大きく離れることを低減でき、所望のトラックへのアクセスが容易となる。
【図面の簡単な説明】
【００３９】
【図１】第１の実施例の近接場記録用の光情報記録再生装置に備えられた光検出器４を説明するための図である。
【図２】第１の実施例の光検出器４において、ヘッド部が光ディスクに対してシフトした時の分割光検出器上の受光形状を説明するための図である。
【図３】第２の実施例の本発明における近接場記録用光情報記録再生装置に備えられた光検出器５を説明するための図である。
【図４】第２の実施例の光検出器５において、ヘッド部が光ディスクに対してシフトした時の分割光検出器上の受光形状を説明するための図である。
【図５】第２の実施例の近接場記録用の光情報記録再生装置を説明するための図である。
【図６】従来例における近接場記録用の光情報記録再生装置に備えられた光検出器３を説明する図である。
【図７】従来例における近接場記録用の光情報記録再生装置に備えられた光検出器３において、ヘッド部が光ディスクに対してシフトした時の光検出器３上の受光形状を説明する図である。
【図８】従来例の近接場記録用の光情報記録再生装置を説明する図である。
【図９】第１の実施例の近接場記録用の光情報記録再生装置を説明する図である。
【符号の説明】
【００４０】
１  半導体レーザ
２  コリメータレンズ
３  ビーム整形プリズム
４  非偏光ビームスプリッタ（ＮＢＳ）
５，１５，１９，２６  レンズ
６  ＬＰＣ−ＰＤ
７，１４  偏光ビームスプリッタ（ＰＢＳ）
８  １／４波長板（ＱＷＰ）
９  エキスパンダレンズ
１０  対物レンズ
１１  ＳＩＬ
１２  光ディスク（記録媒体）
１３  １／２波長板（ＨＷＰ）
１６，２０，２７，３２，３３  光検出器１〜光検出器５（ＰＤ１〜ＰＤ５）
１７  ＲＦ出力
２１  トラッキングエラー
２２  トラッキング制御回路
２８  ギャップエラー
３０  チルト制御回路
３１  チルトエラー
【図１】
2008243282.tif 000003
【図２】
2008243282.tif 000004
【図３】
2008243282.tif 000005
【図４】
2008243282.tif 000006
【図５】
2008243282.tif 000007
【図６】
2008243282.tif 000008
【図７】
2008243282.tif 000009
【図８】
2008243282.tif 000010
【図９】
2008243282.tif 000011